(57)【要約】【課題】生産効率をより向上した、射出成形機の提供。【解決手段】金型装置の成形材料注入口に正対する成形位置と、前記成形位置からずれた待機位置と、にそれぞれ配置される複数の射出装置と、複数の前記射出装置を制御する制御装置と、を有し、前記制御装置は、前記成形位置に位置する射出装置の連続生産の進行度に基づいて、前記待機位置に位置する射出装置の段取を制御する、射出成形機。【選択図】図１
2017154311.tif 000002
【特許請求の範囲】
【請求項１】
金型装置の成形材料注入口に正対する成形位置と、前記成形位置からずれた待機位置と、にそれぞれ配置される複数の射出装置と、
複数の前記射出装置を制御する制御装置と、を有し、
前記制御装置は、前記成形位置に位置する射出装置の連続生産の進行度に基づいて、前記待機位置に位置する射出装置の段取を制御する、射出成形機。
【請求項２】
前記制御装置は、前記成形位置に位置する射出装置の連続生産の進行度に基づいて、前記待機位置に位置する射出装置の段取のタイミングを制御する、請求項１に記載の射出成形機。
【請求項３】
前記段取のタイミングは、前記待機位置に位置する射出装置のシリンダの昇温開始のタイミングを含む、請求項２に記載の射出成形機。
【請求項４】
前記段取のタイミングは、前記成形位置に位置する射出装置の連続生産の終了のタイミングを基準に制御される、請求項２または３に記載の射出成形機。
【請求項５】
複数の前記射出装置の設定に用いられる設定画面を表示する表示装置を有し、
前記設定画面は、前記待機位置に位置する射出装置の段取のタイミングが、前記成形位置に位置する射出装置の連続生産の進行度に関連付けて入力される設定欄を有する、請求項２〜４のいずれか１項に記載の射出成形機。
【発明の詳細な説明】
【技術分野】
【０００１】
本発明は、射出成形機に関する。
【背景技術】
【０００２】
特許文献１に記載の射出成形機は、成形型に溶融樹脂を射出する射出装置本体部と、射出装置本体部を載置するベースプレートとを２組有し、２つのベースプレートの間隔を調整することで、２基の射出装置本体部の間隔を調整する。成形型に形成される２つの射出口の間隔に応じて２基の射出装置本体部の間隔を調整できる。
【先行技術文献】
【特許文献】
【０００３】
【特許文献１】特開２００２−３０７５１６号公報
【発明の概要】
【発明が解決しようとする課題】
【０００４】
射出装置は、内部に供給された成形材料を加熱するシリンダと、シリンダの先端に設けられシリンダで加熱された成形材料を射出するノズルとを有する。従来、シリンダ内の成形材料を入れ替える成形準備の間、成形品を成形できなかった。
【０００５】
複数の射出装置を移動させることで、金型装置の成形材料注入口の正面に位置する射出装置を入れ替えると、一の射出装置では成形品の成形を行いながら、残りの射出装置では成形準備を行うことができ、生産効率を向上することができる。
【０００６】
しかしながら、生産効率の向上に改善の余地があった。
【０００７】
本発明は、上記課題に鑑みてなされたものであって、生産効率をより向上した、射出成形機の提供を主な目的とする。
【課題を解決するための手段】
【０００８】
上記課題を解決するため、本発明の一態様によれば、
金型装置の成形材料注入口に正対する成形位置と、前記成形位置からずれた待機位置と、にそれぞれ配置される複数の射出装置と、
複数の前記射出装置を制御する制御装置と、を有し、
前記制御装置は、前記成形位置に位置する射出装置の連続生産の進行度に基づいて、前記待機位置に位置する射出装置の段取を制御する、射出成形機が提供される。
【発明の効果】
【０００９】
本発明の一態様によれば、生産効率をより向上した、射出成形機が提供される。
【図面の簡単な説明】
【００１０】
【図１】一実施形態による射出成形機に備えられる第１射出装置のノズルタッチ時の状態を示す図である。
【図２】一実施形態による射出成形機に備えられる第２射出装置のノズルタッチ時の状態を示す図である。
【図３】一実施形態による設定画面を示す図である。
【発明を実施するための形態】
【００１１】
以下、本発明を実施するための形態について図面を参照して説明するが、各図面において、同一の又は対応する構成については同一の又は対応する符号を付して説明を省略する。
【００１２】
図１は、一実施形態による射出成形機に備えられる第１射出装置のノズルタッチ時の状態を示す図である。図２は、一実施形態による射出成形機に備えられる第２射出装置のノズルタッチ時の状態を示す図である。図１および図２は、フレーム２におけるＹ方向スライドプレート７２との対向面（例えばフレーム２の上面）に対し垂直な方向から視た図である。図１および図２において、スペースの都合上、第１射出装置４０と制御装置９０との間の信号伝達経路、および第２射出装置５０と制御装置９０との間の信号伝達経路の図示を省略する。
【００１３】
図１および図２に示すように、射出成形機は、金型装置３０の型閉、型締および型開を行う型締装置１０と、金型装置３０内に成形材料を充填する射出装置と、型締装置１０および射出装置を制御する制御装置９０とを有する。射出装置としては、第１射出装置４０と、第２射出装置５０とが用いられる。また、射出成形機は、フレーム２と、フレーム２に対し射出装置をＸ方向にスライドさせるＸ方向スライド装置６０と、フレーム２に対し射出装置をＹ方向にスライドさせるＹ方向スライド装置７０とを有する。
【００１４】
先ず、型締装置１０について説明する。型締装置１０の説明では、型閉時の可動プラテン１３の移動方向（図中Ｘ２方向）を前方とし、型開時の可動プラテン１３の移動方向（図中Ｘ１方向）を後方として説明する。
【００１５】
型締装置１０は、制御装置９０による制御下で、金型装置３０の型閉、型締および型開を行う。型締装置１０は、型開閉方向が水平方向の横型である。型締装置１０は、固定プラテン１２、可動プラテン１３などを有する。固定プラテン１２は、フレーム２に対し固定される。固定プラテン１２における可動プラテン１３との対向面に固定金型３２が取り付けられる。一方、可動プラテン１３は、フレーム２上に敷設されるガイド（例えばガイドレール）１７に沿って移動自在とされる。可動プラテン１３における固定プラテン１２との対向面に可動金型３３が取り付けられる。固定金型３２と可動金型３３とで金型装置３０が構成される。
【００１６】
固定プラテン１２に対し可動プラテン１３を進退させることにより、型閉、型締、型開が行われる。可動プラテン１３をＸ２方向に前進させ、可動金型３３を固定金型３２に接触させることで型閉が行われる。続いて、可動プラテン１３をＸ２方向にさらに前進させ、型締力を生じさせることで型締が行われる。型締時に可動金型３３と固定金型３２との間にキャビティ空間３４が形成され、キャビティ空間３４に液状の成形材料が充填される。充填された成形材料が固化されることで、成形品が得られる。キャビティ空間３４の数は複数でもよく、その場合、複数の成形品が同時に得られる。その後、可動プラテン１３をＸ１方向に後退させ、可動金型３３を固定金型３２から離間させることで型開が行われる。
【００１７】
次に、第１射出装置４０および第２射出装置５０について説明する。第１射出装置４０および第２射出装置５０の説明では、型締装置１０の説明とは異なり、図中Ｘ１方向を前方とし、図中Ｘ２方向を後方として説明する。
【００１８】
第１射出装置４０は、制御装置９０による制御下で、金型装置３０の内部に成形材料を充填する。第１射出装置４０は、第１シリンダ４１、第１ノズル４２、第１スクリュ４３、第１スクリュ駆動装置４５、第１加熱器４８、第１温度検出器４９などを有する。
【００１９】
第１シリンダ４１は、第１シリンダ４１の内部に供給された成形材料を加熱する。第１シリンダ４１の外周には、バンドヒータなどの第１加熱器４８と、第１温度検出器４９とが設けられる。第１シリンダ４１は軸方向に複数のゾーンに区分され、各ゾーンに第１加熱器４８と第１温度検出器４９とが設けられる。ゾーン毎に、第１温度検出器４９の実測温度が設定温度になるように、制御装置９０が第１加熱器４８を制御する。
【００２０】
第１ノズル４２は、第１シリンダ４１の前端に設けられ、第１シリンダ４１で加熱された成形材料を射出する。第１ノズル４２は、金型装置３０（例えば固定金型３２）にタッチされ、金型装置３０内に成形材料を充填する。第１ノズル４２の外周には、第１加熱器４８と第１温度検出器４９とが設けられる。第１ノズル４２の実測温度が設定温度になるように、制御装置９０が第１加熱器４８を制御する。
【００２１】
第１スクリュ４３は、第１シリンダ４１内において回転自在に且つ進退自在に配設される。
【００２２】
第１スクリュ駆動装置４５は、第１スクリュ４３を回転させることにより、第１スクリュ４３の螺旋状の溝に沿って成形材料を前方に送る。成形材料は、前方に送られながら、第１シリンダ４１からの熱によって徐々に溶融される。液状の成形材料が第１スクリュ４３の前方に送られ第１シリンダ４１の前部に蓄積されるにつれ、第１スクリュ４３がＸ２方向に後退させられる。その後、第１スクリュ駆動装置４５は、第１スクリュ４３をＸ１方向に前進させることにより、第１スクリュ４３の前方に蓄積された液状の成形材料を第１ノズル４２から射出する。
【００２３】
第２射出装置５０は、制御装置９０による制御下で、金型装置３０の内部に成形材料を充填する。第２射出装置５０で使用される成形材料と、第１射出装置で使用される成形材料とは、異なる種類であってよい。第２射出装置５０は、第２シリンダ５１、第２ノズル５２、第２スクリュ５３、第２スクリュ駆動装置５５、第２加熱器５８、第２温度検出器５９などを有する。
【００２４】
第２シリンダ５１は、第２シリンダ５１の内部に供給された成形材料を加熱する。第２シリンダ５１の軸方向と、第１シリンダ４１の軸方向とは平行とされる。第２シリンダ５１の外周には、バンドヒータなどの第２加熱器５８と、第２温度検出器５９とが設けられる。第２シリンダ５１は軸方向に複数のゾーンに区分され、各ゾーンに第２加熱器５８と第２温度検出器５９とが設けられる。ゾーン毎に、第２温度検出器５９の実測温度が設定温度になるように、制御装置９０が第２加熱器５８を制御する。
【００２５】
第２ノズル５２は、第２シリンダ５１の前端に設けられ、第２シリンダ５１で加熱された成形材料を射出する。第２ノズル５２は、金型装置３０にタッチされ、金型装置３０内に成形材料を充填する。第２ノズル５２の軸方向と、第１ノズル４２の軸方向とは平行とされる。第２ノズル５２の外周には、第２加熱器５８と第２温度検出器５９とが設けられる。第２ノズル５２の実測温度が設定温度になるように、制御装置９０が第２加熱器５８を制御する。
【００２６】
第２スクリュ５３は、第２シリンダ５１内において回転自在に且つ進退自在に配設される。
【００２７】
第２スクリュ駆動装置５５は、第２スクリュ５３を回転させることにより、第２スクリュ５３の螺旋状の溝に沿って成形材料を前方に送る。成形材料は、前方に送られながら、第２シリンダ５１からの熱によって徐々に溶融される。液状の成形材料が第２スクリュ５３の前方に送られ第２シリンダ５１の前部に蓄積されるにつれ、第２スクリュ５３がＸ２方向に後退させられる。その後、第２スクリュ駆動装置５５は、第２スクリュ５３をＸ１方向に前進させることにより、第２スクリュ５３の前方に蓄積された液状の成形材料を第２ノズル５２から射出する。
【００２８】
複数のＸ方向スライド装置６０、およびＹ方向スライド装置７０は、金型装置３０に成形材料を射出する射出装置の入れ替えに用いられる。Ｘ方向は、例えば第１シリンダ４１の軸方向や第２シリンダ５１の軸方向である。Ｙ方向は、例えばＸ方向に対し垂直な水平方向である。
【００２９】
複数のＸ方向スライド装置６０、およびＹ方向スライド装置７０は、第１射出装置４０および第２射出装置５０を移動させることで、金型装置３０の成形材料注入口３５に正対する成形位置に位置する射出装置を入れ替える移動装置を構成する。以下、Ｙ方向スライド装置７０、Ｘ方向スライド装置６０の順で説明する。
【００３０】
Ｙ方向スライド装置７０は、金型装置３０に対し第１射出装置４０および第２射出装置５０をまとめてＹ方向にスライドさせる。Ｙ方向スライド装置７０は、例えばＹ方向スライドガイド７１と、Ｙ方向スライドプレート７２と、Ｙ方向駆動装置７３と、Ｙ方向位置検出器７４とを有する。
【００３１】
Ｙ方向スライドガイド７１は、例えばフレーム２に固定され、Ｙ方向スライドプレート７２を案内する。
【００３２】
Ｙ方向スライドプレート７２は、第１射出装置４０および第２射出装置５０を支持する。Ｙ方向スライドプレート７２をＹ方向にスライドさせることで、金型装置３０の成形材料注入口３５の正面に位置する射出装置が入れ替わる。
【００３３】
Ｙ方向駆動装置７３は、例えば油圧シリンダや空気圧シリンダなどの流体圧シリンダで構成されてよい。この流体圧シリンダは、Ｙ方向に平行とされ、シリンダ本体７３ａと、シリンダ本体７３ａから伸縮自在に突出するロッド７３ｂとを有する。例えば、シリンダ本体７３ａがＹ方向スライドプレート７２に固定され、ロッド７３ｂの先端がフレーム２に固定される。流体圧シリンダがＹ方向に伸縮することで、Ｙ方向スライドプレート７２がＹ方向にスライドし、第１射出装置４０および第２射出装置５０がＹ方向にスライドする。
【００３４】
尚、流体圧シリンダの代わりに、電動モータが用いられてもよい。電動モータの回転運動は、ボールねじなどの運動変換機構によって、Ｙ方向スライドプレート７２の直線運動に変換される。また、電動モータの代わりに手動のハンドルが用いられてもよく、Ｙ方向スライド装置７０は手動で作動してもよい。
【００３５】
Ｙ方向位置検出器７４は、第１射出装置４０および第２射出装置５０のＹ方向位置を検出する。Ｙ方向位置検出器７４は、例えばＹ方向スライドプレート７２のＹ方向位置を検出することで、第１射出装置４０および第２射出装置５０のＹ方向位置を検出する。
【００３６】
Ｙ方向位置検出器７４としては、例えば非接触式の近接スイッチや接触式のリミットスイッチが用いられる。近接スイッチやリミットスイッチは、Ｙ方向スライドプレート７２が所定位置に存在するか否かを検出する。
【００３７】
尚、Ｙ方向位置検出器７４としては、Ｙ方向スライドプレート７２のＹ方向変位を検出する変位センサも使用可能である。Ｙ方向駆動装置７３として電動モータが用いられる場合、電動モータの回転角を検出するエンコーダがＹ方向位置検出器７４として用いられてもよい。
【００３８】
Ｘ方向スライド装置６０は、射出装置ごとに設けられる。複数のＸ方向スライド装置６０は、金型装置３０に対し第１射出装置４０および第２射出装置５０を独立にＸ方向にスライドさせる。各Ｘ方向スライド装置６０は、例えばＸ方向スライドガイド６１と、Ｘ方向スライドプレート６２と、Ｘ方向駆動装置６３と、Ｘ方向位置検出器６４とを有する。
【００３９】
Ｘ方向スライドガイド６１は、例えばＹ方向スライドプレート７２に固定され、Ｘ方向スライドプレート６２を案内する。
【００４０】
Ｘ方向スライドプレート６２は、射出装置を支持する。第１射出装置４０と第２射出装置５０とは、異なるＸ方向スライドプレート６２に対し固定される。複数のＸ方向スライドプレート６２は、金型装置３０に対し第１射出装置４０および第２射出装置５０を独立にＸ方向にスライドさせる。
【００４１】
Ｘ方向駆動装置６３は、例えば油圧シリンダや空気圧シリンダなどの流体圧シリンダで構成されてよい。この流体圧シリンダは、Ｘ方向に平行とされ、シリンダ本体６３ａと、シリンダ本体６３ａから伸縮自在に突出するロッド６３ｂとを有する。例えば、シリンダ本体６３ａがＸ方向スライドプレート６２に固定され、ロッド６３ｂの先端がＹ方向スライドプレート７２に固定される。流体圧シリンダがＸ方向に伸縮することで、Ｘ方向スライドプレート６２がＸ方向にスライドし、第１射出装置４０や第２射出装置５０がＸ方向にスライドする。
【００４２】
尚、流体圧シリンダの代わりに、電動モータが用いられてもよい。電動モータの回転運動は、ボールねじなどの運動変換機構によって、Ｘ方向スライドプレート６２の直線運動に変換される。また、電動モータの代わりに手動のハンドルが用いられてもよく、Ｘ方向スライド装置６０は手動で作動してもよい。
【００４３】
Ｘ方向位置検出器６４は、射出装置のＸ方向位置を検出する。一のＸ方向位置検出器６４は第１射出装置４０のＸ方向位置を検出し、他のＸ方向位置検出器６４は第２射出装置５０のＸ方向位置を検出する。Ｘ方向位置検出器６４は、例えばＸ方向スライドプレート６２のＸ方向位置を検出することで、射出装置のＸ方向位置を検出する。
【００４４】
Ｘ方向位置検出器６４としては、例えば非接触式の近接スイッチや接触式のリミットスイッチが用いられる。近接スイッチやリミットスイッチは、Ｘ方向スライドプレート６２が所定位置に存在するか否かを検出する。
【００４５】
尚、Ｘ方向位置検出器６４としては、Ｘ方向スライドプレート６２のＸ方向変位を検出する変位センサも使用可能である。Ｘ方向駆動装置６３として電動モータが用いられる場合、電動モータの回転角を検出するエンコーダがＸ方向位置検出器６４として用いられてもよい。
【００４６】
制御装置９０は、ＣＰＵ（Central Processing Unit）９１と、メモリなどの記憶媒体９２と、入力インターフェイス９３と、出力インターフェイス９４とを有する。制御装置９０は、記憶媒体９２に記憶されたプログラムをＣＰＵ９１に実行させることにより、型締装置１０、第１射出装置４０、第２射出装置５０、Ｘ方向スライド装置６０、Ｙ方向スライド装置７０などの制御を行う。また、制御装置９０は、入力インターフェイス９３で外部からの信号を受信し、出力インターフェイス９４で外部に信号を送信する。
【００４７】
例えば、制御装置９０は、第１射出装置４０と第２射出装置５０を図１に示す状態から図２に示す状態に変更する場合、先ず、第１射出装置４０を金型装置３０からＸ２方向に後退させ、固定プラテン１２の貫通穴から引き抜く。次いで、制御装置９０は、Ｙ方向スライドプレート７２をＹ２方向にスライドさせ、第２射出装置５０を金型装置３０の成形材料注入口３５に正対させる。その後、制御装置９０は、第２射出装置５０をＸ１方向に前進させ、第２射出装置５０を金型装置３０にタッチさせる。
【００４８】
一方、制御装置９０は、第１射出装置４０と第２射出装置５０を図２に示す状態から図１に示す状態に変更する場合、先ず、第２射出装置５０を金型装置３０からＸ２方向に後退させ、固定プラテン１２の貫通穴から引き抜く。次いで、制御装置９０は、Ｙ方向スライドプレート７２をＹ１方向にスライドさせ、第１射出装置４０を金型装置３０の成形材料注入口３５に正対させる。その後、制御装置９０は、第１射出装置４０をＸ１方向に前進させ、第１射出装置４０を金型装置３０にタッチさせる。
【００４９】
図１に示すように第１射出装置４０が金型装置３０にタッチされている時、第２射出装置５０が金型装置３０から外されている。また、図２に示すように第２射出装置５０が金型装置３０にタッチされている時、第１射出装置４０は金型装置３０から外されている。よって、第１射出装置４０および第２射出装置５０のうち、いずれか一方では成形品の成形を行いながら、残りの一方ではシリンダの昇温やパージなどの段取を行うことができる。
【００５０】
ここで、段取とは成形準備のことであり、パージとはシリンダ内の成形材料の入れ替えのことである。パージでは、シリンダ内に残留する古い成形材料をシリンダ内から排出し、新しい成形材料をシリンダ内に供給する。入れ替えられる古い成形材料と新しい成形材料とは、同じ種類でも異なる種類でもよく、同じ色でも異なる色でもよい。
【００５１】
パージは、例えば、成形品の成形と同様に、スクリュの回転とスクリュの進退とによって行われてよい。スクリュ駆動装置がスクリュを回転させることにより、スクリュの螺旋状の溝に沿って成形材料が前方に送られる。シリンダの前部に成形材料が蓄積されるにつれ、スクリュが後退させられる。その後、スクリュ駆動装置がスクリュを前進させることにより、スクリュの前方に蓄積された成形材料がノズルから排出される。
【００５２】
尚、パージは、スクリュの回転のみによって行われてもよい。スクリュ駆動装置がスクリュを定位置で回転させることにより、スクリュの螺旋状の溝に沿って成形材料が前方に送られ、シリンダ内の成形材料がノズルから排出される。
【００５３】
パージは、シリンダの昇温終了後、またはシリンダの昇温途中で開始される。昇温開始前のシリンダの設定温度は、室温でもよいし、保温温度でもよい。保温温度は、シリンダの内部における成形材料の劣化を抑制するため、成形品の成形を行う成形温度よりも低い温度に設定される。シリンダの温度が室温または保温温度の間、成形品の成形は勿論、パージも行われない。パージは、シリンダの温度が成形温度になった後、またはシリンダの温度が成形温度まで上昇する途中で行われる。
【００５４】
パージは、例えば、シリンダの温度が所定温度に到達した後であって、且つ、ユーザによる所定の入力操作（例えばパージ許可ボタンの操作）が行われた後に開始される。パージは、間欠的または連続的に行われる。尚、パージは、シリンダの温度が所定温度に到達した後、ユーザの指令を待たずに自動で開始されてもよい。
【００５５】
金型装置３０の成形材料注入口３５の正面の位置を成形位置、成形位置からＹ方向スライドプレート７２のスライド方向にずれた位置を待機位置と呼ぶ。図１〜図２に示すように、成形位置を挟んで、片側（Ｙ２側）に第１射出装置４０の待機位置が、反対側（Ｙ１側）に第２射出装置５０の待機位置が存在する。
【００５６】
制御装置９０は、図１に示すように第１射出装置４０が成形位置に位置する場合、第１射出装置４０の連続生産の進行度に基づいて、待機位置に位置する第２射出装置５０の段取を制御する。また、制御装置９０は、図２に示すように第２射出装置５０が成形位置に位置する場合、第２射出装置５０の連続生産の進行度に基づいて、待機位置に位置する第１射出装置４０の段取を制御する。よって、成形位置に位置する射出装置による連続生産の終了までに、待機位置に位置する射出装置の段取を所定の段階まで進めることが可能であり、生産効率をより向上できる。
【００５７】
制御装置９０は、図１に示すように第１射出装置４０が成形位置に位置する場合、第１射出装置４０の連続生産の進行度に基づいて、待機位置に位置する第２射出装置５０の段取のタイミングを制御する。また、制御装置９０は、図２に示すように第２射出装置５０が成形位置に位置する場合、第２射出装置５０の連続生産の進行度に基づいて、待機位置に位置する第１射出装置４０の段取のタイミングを制御する。タイミングの設定には、入力装置９５や表示装置９６などが用いられる。
【００５８】
入力装置９５は、ユーザの入力操作を受け付け、ユーザの入力操作に応じた操作信号を制御装置９０に送信する。入力装置９５としては、例えばタッチパネルが用いられる。タッチパネルは、後述の表示装置９６を兼ねる。
【００５９】
表示装置９６は、制御装置９０による制御下で、入力装置９５の入力操作に応じた操作画面を表示する。操作画面は、複数用意され、切り替えて表示されたり、重ねて表示されたりする。
【００６０】
ユーザは、表示装置９６で表示される操作画面を見ながら、入力装置９５を操作することにより各種の設定を行う。設定は、記憶媒体９２に記憶され、必要に応じて読み出される。設定に用いられる操作画面を設定画面とも呼ぶ。
【００６１】
図３は、一実施形態による設定画面を示す図である。図３に示す設定画面８０は、図１に示すように待機位置に位置する第２射出装置５０の段取のタイミングの設定に用いられる。尚、図２に示すように待機位置にする第１射出装置４０の段取のタイミングの設定に用いられる設定画面は、図３に示す設定画面８０と同様であるので、図示および説明を省略する。
【００６２】
設定画面８０は、設定欄８２を有する。この設定欄８２には、待機位置に位置する第２射出装置５０の段取のタイミングが、成形位置に位置する第１射出装置４０による連続生産の進行度に関連付けて入力される。
【００６３】
連続生産では、同じ設定で成形品の成形を繰り返し行う。その繰り返し回数をショット数と呼ぶ。連続生産の進行度は、例えば図３に示すように、連続生産の終了までの残りのショット数で表される。残りショット数の代わりに、残り時間が用いられてもよい。
【００６４】
尚、連続生産の進行度は、連続生産の開始からカウントされるショット数や、連続生産の開始からの経過時間で表されてもよい。連続生産の開始からカウントされるショット数は、連続生産の開始から終了までの総ショット数と組合わせて用いられてよい。また、連続生産の開始からの経過時間は、連続生産の開始から終了までの総時間と組合わせて用いられてよい。
【００６５】
制御装置９０は、設定欄８２に入力されたタイミングで、第２射出装置５０の段取を行う。よって、第１射出装置４０による連続生産の進行度に合わせて、第２射出装置５０の段取を行うことができる。その結果、第１射出装置４０による連続生産の終了までに第２射出装置５０の段取を所定の段階まで進めることが可能であり、生産効率をより向上できる。
【００６６】
設定欄８２に入力される段取のタイミングは、例えば第２シリンダ５１の昇温開始のタイミングを含む。よって、第１射出装置４０による連続生産の進行度に合わせて、第２シリンダ５１の昇温を開始できる。その結果、第１射出装置４０による連続生産の終了前に、第２シリンダ５１の昇温を終了させることができ、第２シリンダ５１の温度を成形温度に上げておくことができる。
【００６７】
尚、制御装置９０は、設定欄８２に入力される第２シリンダ５１の昇温開始のタイミングと、その昇温パターンとに基づいて、第１射出装置４０による連続生産の終了前に第２シリンダ５１の昇温が終了するか否かを判断してもよい。
【００６８】
制御装置９０は、第１射出装置４０による連続生産の終了前に第２シリンダ５１の昇温が終了しないと判断した場合、その昇温が終了するように設定欄８２に入力されたタイミングを補正してもよい。
【００６９】
また、制御装置９０は、第１射出装置４０による連続生産の終了前に第２シリンダ５１の昇温が終了しないと判断した場合、警報を出力してもよい。警報は、表示装置９６で表示されてもよいし、専用の警報器で出力されてもよい。
【００７０】
設定欄８２に入力される段取のタイミングは、第２シリンダ５１の昇温開始のタイミングに限定されない。例えば、（１）第２シリンダ５１の昇温終了のタイミング、（２）第２シリンダ５１のパージ開始のタイミング、（３）第２シリンダ５１のパージ終了のタイミングなどでもよい。複数のタイミングが設定されてもよい。
【００７１】
（１）のタイミングの場合、制御装置９０は、昇温終了のタイミングと昇温パターンとに基づいて昇温開始のタイミングを算出し、算出したタイミングで第２シリンダ５１の昇温を開始する。この場合も、第１射出装置４０による連続生産の終了前に、第２シリンダ５１の昇温を終了させることができ、第２シリンダ５１の温度を成形温度に上げておくことができる。
【００７２】
（２）のタイミングの場合、制御装置９０は、設定されたタイミングで第２シリンダ５１のパージを開始することで、第１射出装置４０による連続生産の終了前に、第２シリンダ５１のパージを終了させることができる。
【００７３】
（３）のタイミングの場合、制御装置９０は、パージ終了のタイミングとパージに要する時間とに基づいてパージ開始のタイミングを算出し、算出したタイミングで第２シリンダ５１のパージを開始する。この場合も、第１射出装置４０による連続生産の終了前に、第２シリンダ５１のパージを終了させることができる。
【００７４】
設定欄８２に入力される段取のタイミングは、第１射出装置４０による連続生産の終了のタイミングを基準として設定されてよく、例えば残りショット数や残り時間で設定されてよい。第１射出装置４０による連続生産の終了までに、第２射出装置５０の段取を所定の段階まで確実に進めることができる。また、第１射出装置４０による連続生産の終了のタイミングを基準とすることで、効率化を図ることができる。第１射出装置４０による連続生産の終了よりも第２射出装置５０の成形準備の完了が早すぎると、その成形準備が無駄になり、再度のパージなどが必要になるためである。第２射出装置５０のパージの終了から、第１射出装置４０による連続生産の終了までの待機時間が所定時間内になるように、第２射出装置５０の段取のタイミングが設定されてよい。
【００７５】
以上、射出成形機の実施形態等について説明したが、本発明は上記実施形態等に限定されるものではなく、特許請求の範囲に記載された本発明の要旨の範囲内において、種々の変形、改良が可能である。
【００７６】
上記実施形態では型締装置１０として、型開閉方向が水平方向である横型締装置が用いられるが、型開閉方向が上下方向である竪型締装置が用いられてもよい。同様に、上記実施形態では第１射出装置４０および第２射出装置５０として、シリンダの軸方向が水平方向である横射出装置が用いられるが、シリンダの軸方向が上下方向である竪射出装置が用いられてもよい。
【００７７】
上記実施形態では第１射出装置４０および第２射出装置５０として、インライン・スクリュ式の射出装置が用いられるが、プリプラ式の射出装置が用いられてもよい。プリプラ式の射出装置は、可塑化シリンダ内で溶融された成形材料を射出シリンダに供給し、射出シリンダから金型装置内に成形材料を射出する。可塑化シリンダ内にはスクリュが回転自在にまたは回転自在に且つ進退自在に配設され、射出シリンダ内にはプランジャが進退自在に配設される。
【００７８】
上記実施形態ではＹ方向スライドプレート７２に支持される射出装置の数は、２つであるが、１つでもよいし、３つ以上でもよい。第１射出装置４０と第２射出装置５０とは、独立にＹ方向に移動してもよく、異なるＹ方向スライドプレート７２に支持されてもよい。
【００７９】
上記実施形態では成形位置を挟む両側に待機位置が設けられるが、片側のみに待機位置が設けられてもよい。この場合、移動装置は、第１射出装置４０と第２射出装置５０とをＸ方向にずらした状態で、第１射出装置４０や第２射出装置５０をＹ方向に移動させることで、成形位置に位置する射出装置を入れ替える。入れ替え時の射出装置の移動経路は、特に限定されない。
【００８０】
上記実施形態の検出部は、第１射出装置４０や第２射出装置５０の移動を、型締装置１０や金型装置３０が妨げるか否かを検出するが、本発明はこれに限定されない。例えば、検出部は、第１射出装置４０の移動を、第２射出装置５０が妨げるか否かを検出してもよい。また、検出部は、第２射出装置５０の移動を、第１射出装置４０が妨げるか否かを検出してもよい。
【符号の説明】
【００８１】
２    フレーム
１０  型締装置
１２  固定プラテン
１３  可動プラテン
３０  金型装置
３２  固定金型
３３  可動金型
３５  成形材料注入口
４０  第１射出装置
４１  第１シリンダ
４２  第１ノズル
４８  第１加熱器
４９  第１温度検出器
５０  第２射出装置
５１  第２シリンダ
５２  第２ノズル
５８  第２加熱器
５９  第２温度検出器
６０  Ｘ方向スライド装置
７０  Ｙ方向スライド装置
７２  Ｙ方向スライドプレート
８０  設定画面
８２  設定欄
９０  制御装置
９６  表示装置
【図１】
2017154311.tif 000003
【図２】
2017154311.tif 000004
【図３】
2017154311.tif 000005